(57)【特許請求の範囲】
【請求項１】
強化繊維に合成樹脂を含浸した繊維強化合成樹脂から成るプリプレグシートを巻回することによって構成される竿管を有する中通し釣竿において、
前記竿管は、前記プリプレグシートを巻回して形成したＦＲＰ管部を基端側に配置し、超弾性合金層で形成した超弾性合金部を先端側に配置し、これらのＦＲＰ管部と超弾性合金部との間に、プリプレグシートの内周側に補強部材を介して超弾性合金層を設けた複合管部を配置し、前記超弾性合金部を先細りテーパ形状の釣糸案内部に形成した穂先竿管であることを特徴とする中通し釣竿。
【請求項２】
前記釣糸案内部の内径は、少なくとも１．６ｍｍ以上に設定されていることを特徴とする請求項1に記載の中通し釣竿。
【発明の詳細な説明】
【０００１】
【発明の属する技術分野】
本発明は、釣糸を案内する領域に超弾性合金材料から成る釣糸案内部が形成された竿管を有する中通し釣竿に関する。
【０００２】
【従来の技術】
従来から、撓み量の大きな箇所や局部的に変形し易い箇所において、竿管の撓み性及びその強度並びに釣糸の案内性を同時に向上させることを目的として、種々の釣竿が提案されている。
【０００３】
例えば特開平３−２３６７３２号公報には、釣竿を構成する穂先竿管を超弾性合金材料（Ｎｉ−Ｔｉ合金）で形成することによって、穂先竿管の撓み性及びその強度並びに釣糸の案内性の向上を図っている。
【０００４】
【発明が解決しようとする課題】
しかしながら、特開平３−２３６７３２号公報に開示された釣竿において、超弾性合金材料は、穂先竿管のみに用いられており、他の部分（例えば、中竿管、釣糸案内ガイド部材）には用いられていないため、この釣竿の構成を例えば中通し釣竿に応用することができなかった。
【０００５】
中通し釣竿は、穂先竿管及び中竿管の内部に釣糸を挿通させるようになっており、上述したように穂先竿管にのみ超弾性合金材料を用いても、中竿管の撓み性及びその強度並びに釣糸の案内性を向上させることができないため、その結果として、中通し釣竿全体としての撓み性及びその強度並びに釣糸の案内性が低下してしまう。
【０００６】
つまり、従来の釣竿では、その応用範囲が限られており、あらゆる種類の釣竿にとって最適な撓み性及びその強度並びに釣糸の案内性を図ることができなかった。
【０００７】
本発明は、このような問題を解決するために成されており、その目的は、使用目的や竿管の種類に応じた最適な撓み性及びその強度並びに釣糸の案内性を図ることが可能な釣竿を提供することにある。
【０００８】
【課題を解決するための手段】
このような目的を達成するために、本発明は、強化繊維に合成樹脂を含浸した繊維強化合成樹脂から成るプリプレグシートを巻回することによって構成される竿管を有する中通し釣竿において、前記竿管は、前記プリプレグシートを巻回して形成したＦＲＰ管部を基端側に配置し、超弾性合金層で形成した超弾性合金部を先端側に配置し、これらのＦＲＰ管部と超弾性合金部との間に、プリプレグシートの内周側に補強部材を介して超弾性合金層を設けた複合管部を配置し、前記超弾性合金部を先細りテーパ形状の釣糸案内部に形成した穂先竿管であることを特徴とする。
【０００９】
【発明の実施の形態】
以下、本発明の釣竿について、添付図面を参照して説明する。
【００１０】
図１には、中通し釣竿の構成が示されている。
【００１１】
この中通し釣竿は、握持把持部２が形成された元竿管４と、この元竿管４の先端に連結可能な中竿管６と、この中竿管６の先端に連結可能な穂先竿管８とを備えており、元竿管４の握持把持部２には、リール１０が着脱自在に取り付けられている。また、元竿管４の先端側には、釣糸導入ガイド１２が取り付けられており、リール１０に巻回されている釣糸１４は、釣糸導入ガイド１２から中竿管６内に導入され、この中竿管６及び穂先竿管８内を案内された後、穂先竿管８の先端に設けられたトップガイド１６から外方へ延出させることができるようになっている。
【００１２】
図２には、中通し釣竿の穂先竿管８の構成が示されている。
【００１３】
この穂先竿管８は、その先端側に形成された超弾性管部８ａと、その基端側に形成されたＦＲＰ管部８ｂと、その中間に形成された複合管部８ｃとから構成されている。
【００１４】
ＦＲＰ管部８ｂは、強化繊維に合成樹脂を含浸したプリプレグシート１８を巻回することによって形成されており、その内周面には、釣糸案内性を向上させるために、スパイラル状の突起部１８ａが形成されている。
【００１５】
この突起部１８ａの形成方法は、任意の方法を適用することが可能であるが、その一例として、まず、芯金に対して所定幅のテープを螺旋状に巻回して、芯金に凹凸部を形成した後、凹部となった部分に極薄テープを巻回する。次に、この極薄テープの上からガイド部材（例えば、金属、合成樹脂、有機繊維、セラミックス、カーボン束など）を巻回した後、プリプレグシート１８を巻回する。そして、脱芯した後に、テープ及び極薄テープを取り除くことによって、ＦＲＰ管部８ｂの内周面に、ガイド部材から成るスパイラル状の突起部１８ａを形成することができる。
【００１６】
プリプレグシート１８を構成する強化繊維としては、その弾性率が、０．５ｔｏｎｆ／ｍｍ2 〜９５ｔｏｎｆ／ｍｍ2 の例えばカーボン、ボロン、ガラス、有機繊維等を用いることが可能であり、また、この強化繊維に含浸させる合成樹脂としては、例えばエポキシ樹脂等を用いることが可能である。
【００１７】
超弾性管部８ａには、例えば、Ｎｉ−Ｔｉ、Ｎｉ−Ｔｉ−Ｆｅ、Ｎｉ−Ｔｉ−Ｃｕ、Ｎｉ−Ｔｉ−Ｃｒ系等の超弾性合金材料から成る超弾性合金層２０が形成されており、この超弾性合金層２０は、穂先竿管８の先端に向かうに従って先細りテーパ形状を成している。また、釣糸案内部としての機能を持たせるために、超弾性管部８ａ即ち超弾性合金層２０の内径は、少なくとも１．６ｍｍ以上に設定することが好ましい。この場合、超弾性合金層２０の弾性率は、０．５ｔｏｎｆ／ｍｍ2 〜３０ｔｏｎｆ／ｍｍ2 の範囲に設定することが好ましい。
【００１８】
複合管部８ｃは、上述したプリプレグシート１８と超弾性合金層２０との間に補強部材２２を介挿して構成されている。補強部材２２としては、その弾性率が、０．５ｔｏｎｆ／ｍｍ2 〜５ｔｏｎｆ／ｍｍ2 の例えばエポキシ系の接着剤等の材料を用いることが好ましい。なお、接着面は、表面荒しを行うことが好ましい。
【００１９】
このような図２の構成によれば、穂先竿管８の先端側に超弾性合金層２０を設けたことによって、撓み性及び強度並びに釣糸の案内性に優れた中通し釣竿の穂先竿管８を実現することができる。
【００２０】
図３には、中通し釣竿の穂先竿管８及び中竿管６の構成が示されている。
【００２１】
これら穂先竿管８及び中竿管６は、その内周側に竿管全体に亘って超弾性合金材料から成る超弾性合金層２０が形成され、この超弾性合金層２０の外周に強化繊維に合成樹脂を含浸したプリプレグシート１８が巻装されている。なお、プリプレグシート１８及び超弾性合金層２０の構成は、上述した図２のものと同様であるため、同一符号を付して、その説明は省略する。
【００２２】
このような図３の構成によれば、撓み性及び強度並びに釣糸の案内性に優れた中通し釣竿の穂先竿管８及び中竿管６を実現することができるだけで無く、これら竿管の製造プロセスが簡略化できるため、釣竿の製造コストを削減することが可能となる。
【００２３】
図４には、中通し釣竿の穂先竿管８の構成が示されている。
【００２４】
この穂先竿管８は、その先端領域にのみ超弾性合金層２０が形成されている。具体的には、穂先竿管８は、その基端から先端に亘ってプリプレグシート１８から構成されており、このプリプレグシート１８の先端（即ち、トップガイド１６に隣接した領域）の内周面にのみ部分的に超弾性合金層２０が設けられている。なお、プリプレグシート１８及び超弾性合金層２０の構成は、上述した図２のものと同様であるため、同一符号を付して、その説明は省略する。
【００２５】
このような図４の構成によれば、最も小径となっている穂先竿管８の先端領域に超弾性合金層２０を配置したことによって、特にその強度が弱くなりがちな先端領域を補強することができる。このため、例えば結び目やゴミ等が付着した状態で釣糸が穂先竿管８の先端に案内された場合であっても、この先端領域における裂け割れ等の破損を防止することが可能となる。更に、穂先竿管８の先端領域を撓み性及び強度並びに釣糸の案内性に優れたものとすることができる。
【００２６】
図５には、中通し釣竿の穂先竿管８及び中竿管６の構成が示されている。
【００２７】
これら穂先竿管８及び中竿管６は、超弾性合金層２０を複数の箇所（図面上では、先端、基端、中間の３箇所）に配置して構成されている。この場合、超弾性合金層２０の個数や配置は、釣り人の力量及び使用目的や竿管の種類に対応して任意に増減及び変更することが可能である。なお、プリプレグシート１８及び超弾性合金層２０の構成は、上述した図２のものと同様であるため、同一符号を付して、その説明は省略する。
【００２８】
このような図５の構成によれば、超弾性合金層２０の個数や配置を増減変更することによって、釣り人の力量及び使用目的や竿管の種類に対応した所望の撓み性及び強度並びに釣糸の案内性を図ることができる。
【００２９】
図６には、穂先竿管８と中竿管６との連結部Ｐ１（図１参照）、及び、中竿管６と元竿管４との連結部Ｐ２（図１参照）に、夫々、超弾性合金層２０を配置した構成が示されている。
【００３０】
これら連結部Ｐ１，Ｐ２は、特に、歪みが集中する箇所であると共に、竿管内を挿通される釣糸が引っ掛かり易い箇所でもある。従って、このような箇所に超弾性合金層２０を配置することによって、連結部Ｐ１，Ｐ２の撓み性及びその強度並びに釣糸案内性を向上させることが可能となる。なお、プリプレグシート１８及び超弾性合金層２０の構成は、上述した図２のものと同様であるため、同一符号を付して、その説明は省略する。
【００３１】
ここで、上述した超弾性合金層２０を竿管の釣糸案内領域に形成する方法について説明する。
【００３２】
図８には、超弾性合金材料から成る超弾性強化繊維によって超弾性合金層２０を竿管の釣糸案内領域に形成する方法が示されている。
【００３３】
同図（ｂ）には、強化繊維が軸長方向に引き揃えられたプリプレグ２４に織布２６を裏打ちして構成したプリプレグシート２８が示されている。この場合、プリプレグ２４及び織布２６の少なくとも一方を超弾性強化繊維で構成し、この超弾性強化繊維が釣糸案内面となるように、プリプレグシート２８を芯金３０（同図（ａ）参照）に巻回することによって、図２〜図６に示すように超弾性合金層２０を竿管の釣糸案内領域に形成することができる。
【００３４】
同図（ｃ）には、超弾性合金材料から成る強化繊維が軸長方向に引き揃えられたプリプレグ３２から成るプリプレグシート３４が示されている。この場合、このプリプレグシート３２を芯金３０に巻回することによって、図２〜図６に示すように超弾性合金層２０を竿管の釣糸案内領域に形成することができる。
【００３５】
同図（ｄ）には、強化繊維が軸長方向に引き揃えられたプリプレグ３６に、強化繊維が周方向に引き揃えられたプリプレグ３８を裏打ちして構成したプリプレグシート４０が示されている。この場合、２つのプリプレグ３６，３８の少なくとも一方を超弾性強化繊維で構成し、この超弾性強化繊維が釣糸案内面となるように、プリプレグシート４０を芯金３０に巻回することによって、図２〜図６に示すように超弾性合金層２０を竿管の釣糸案内領域に形成することができる。
【００３６】
また、この超弾性合金層２０の外周には、釣り人の好み或いは使用目的や竿管の種類に応じて、図９に示すように、複数層から成るプリプレグシート１８を巻装させることも可能であり、このような構成でも、釣竿の最適な撓み性及びその強度並びに釣糸の案内性を図ることができる。
【００３７】
また、釣竿を構成する超弾性合金層２０とプリプレグシート１８の配置及び組み合わせについても、上述した実施の形態に限定されることは無く、以下のように種々変更することが可能である。
【００３８】
例えば図１０（ａ）に示すように、肉厚及び直径が一定の超弾性合金層２０の外周に、テーパが施されたプリプレグシート１８を巻装させても良い。このような構成によれば、テーパ状のプリプレグシート１８によって釣竿としての最適な撓み性を図りつつ、肉厚及び直径が一定の超弾性合金層２０によって釣竿としての最適な強度及び釣糸案内性を図ることができる。
【００３９】
例えば図１０（ｂ）に示すように、肉厚及び直径が一定の超弾性合金層２０の端部２０ａを覆うように、テーパが施されたプリプレグシート１８を巻装させても良い。この場合、端部２０ａは、面取りを施すことが好ましい。このような構成によれば、超弾性合金層２０の端部２０ａに面取りを施したことによって、この端部２０ａに応力集中が生じるのを防止することができるため、実釣時の撓み具合を釣竿全体に亘って連続的に且つ滑らかに変化させることができる。なお、その他の効果は、上述した図１０（ａ）の構成と同様であるため、その説明は省略する。
【００４０】
例えば図１０（ｃ）に示すように、テーパが施されたプリプレグシート１８の内周面に、肉厚及び直径が一定の超弾性合金層２０を配置させても良い。この場合、端部２０ａは、面取りを施すことが好ましい。このような構成によれば、竿管内を案内される釣糸が端部２０ａに摺接した場合でも、テーパ状の端部２０ａに沿って釣糸を滑らかに案内することができるため、釣竿としての最適な釣糸案内性を図ることができる。なお、その他の効果は、上述した図１０（ａ），（ｂ）の構成と同様であるため、その説明は省略する。
【００４１】
例えば図１０（ｄ）に示すように、テーパが施されたプリプレグシート１８の外側に、超弾性合金層２０を巻装させても良い。この場合、プリプレグシート１８に隣接する超弾性合金層２０の端部２０ａは、面取りを施すことが好ましい。このような構成によれば、超弾性合金層２０の端部２０ａに面取りを施したことによって、この端部２０ａに応力集中が生じるのを防止することができるため、実釣時の撓み具合を釣竿全体に亘って連続的に且つ滑らかに変化させることができる。
【００４２】
また、上述した実施の形態は、全て、中通し釣竿について説明したが、本発明の技術的思想は、例えば図７に示すような竿管４２の外側に釣糸ガイド４４が設けられ、この釣糸ガイド４４によって釣糸４６を案内するタイプの釣竿にも適用することが可能である。
【００４３】
この釣竿には、その先端に釣糸ガイドユニット４８が外付けされており、釣糸ガイド４４によって案内された釣糸４６は、釣糸ガイドユニット４８内を通った後、トップガイド５０から外方に延出されるようになっている。この場合、釣糸ガイドユニット４８を超弾性合金材料で形成することによって、釣糸の案内性の向上を図ることができる。
【００４４】
上述（図１〜図１０参照）したように、本発明の釣竿によれば、使用目的や竿管の種類に応じて適宜所望の位置に超弾性合金層２０を配置することができるため、最適な撓み性及び強度並びに釣糸の案内性を図ることができる。
【００４５】
【発明の効果】
本発明によれば、穂先竿管の先端側に超弾性合金層を設けたことによって、穂先竿管の撓み性及びその強度並びに釣糸の案内性を図ることが可能な中通し釣竿を提供することができる。
【図面の簡単な説明】
【図１】本発明の釣竿（中通し釣竿）の全体の構成を示す図。
【図２】中通し釣竿の穂先竿管の構成を示す図。
【図３】竿管全体に亘って超弾性合金層が形成された中通し釣竿の穂先竿管及び中竿管の構成を示す図。
【図４】その先端領域にのみ超弾性合金層が形成された中通し釣竿の穂先竿管の構成を示す図。
【図５】超弾性合金層が複数の箇所に配置された中通し釣竿の穂先竿管及び中竿管の構成を示す図。
【図６】連結部に超弾性合金層が配置された中通し釣竿の穂先竿管及び中竿管の構成を示す図。
【図７】超弾性合金材料で形成された釣糸ガイドユニットが竿管に外付けされた釣竿の構成を示す図。
【図８】（ａ）〜（ｄ）は、超弾性合金材料から成る超弾性強化繊維によって超弾性合金層を竿管の釣糸案内領域に形成する方法を説明するための図。
【図９】超弾性合金層の外周に複数層から成るプリプレグシートを巻装した竿管の構成を示す図。
【図１０】（ａ）〜（ｄ）は、釣竿を構成する超弾性合金層とプリプレグシートの配置及び組み合わせ例を示す図。
【符号の説明】
６  中竿管
８  穂先竿管
１８  プリプレグシート
２０  超弾性合金層
【図１】
0004040771.tif 000002
【図２】
0004040771.tif 000003
【図３】
0004040771.tif 000004
【図４】
0004040771.tif 000005
【図５】
0004040771.tif 000006
【図６】
0004040771.tif 000007
【図７】
0004040771.tif 000008
【図８】
0004040771.tif 000009
【図９】
0004040771.tif 000010
【図１０】
0004040771.tif 000011